(57)【要約】【課題】パチンコ台やゲーム機あるいはその他の各種機材の近傍において、平板状の表示物及び棒状支柱を有する表示物を着脱可能に保持することのできる表示具を提供する。【解決手段】表示具１０は、取り付け対象物に固着可能な接合部１１と、接合部１１から延設された一対の挟持部１２ａ，１２ｂと、挟持部１２ａ，１２ｂを開閉可能に保持するため挟持部１２ａ，１２ｂにそれぞれ配置された複数の磁石１３ａと、を備え、挟持部１２ａ，１２ｂの側部に、棒状支柱を有する表示物の一つである小型の幟の幟竿を保持可能な複数の棒材保持部１４ａ，１５ａが設けられ、同じ機能を有する棒材保持部１６ａが接合部１１の上部に設けられている。複数の棒材保持部１４ａ，１５ａ，１６ａはいずれも筒状である。複数の磁石１３ａは異なる磁極同士を対向させることにより、互いに吸着し合った状態で配置されている。【選択図】図１
0003168068.tif 000002
【実用新案登録請求の範囲】
【請求項１】
取り付け対象物に固着可能な接合部と、前記接合部から延設された一対の挟持部と、前記挟持部を開閉可能に保持する磁石と、を備え、前記接合部若しくは前記挟持部の一部に棒材を保持可能な少なくとも一つの棒材保持部を設けたことを特徴とする表示具。
【請求項２】
前記棒材保持部を上下方向に離れた複数箇所に設けた請求項１記載の表示具。
【請求項３】
上方に位置する前記棒材保持部における棒材の保持角度と、下方に位置する前記棒材保持部における棒材の保持角度と、が互いに異なる請求項２記載の表示具。
【請求項４】
前記棒材保持部の少なくとも一つが棒材を鉛直状態に保持可能である請求項１〜４のいずれかに記載の表示具。
【請求項５】
一対の前記挟持部の周縁に、互いに離反する方向に湾曲した少なくとも一対の舌片部を設けた請求項１〜４のいずれかに記載の表示具。
【考案の詳細な説明】
【技術分野】
【０００１】
本考案は、パチンコ台、スロットマシンなどの各種ゲーム機あるいはその他の各種機材に関する情報表示手段として、これらの機材の近傍に取り付けて使用される表示具に関する。
【背景技術】
【０００２】
パチンコ店やゲームセンターなどに配備されているパチンコ台やゲーム機の稼動状態などの情報を表示する器具として、パチンコ台や幕板などに取り付けて使用され、表示板を着脱自在に保持する機能を有する保持具が知られている（例えば、特許文献１参照。）。
【０００３】
特許文献１記載の「パチンコ機等の表示具」は、パチンコ機等の機台若しくは幕板の一部と接合する接合部と表示板保持部とから構成され、表示板保持部には、磁力により表示板を挿入引抜き自在に保持する表示板挿入部が設けられている。
【先行技術文献】
【特許文献】
【０００４】
【特許文献１】実用新案登録第３１１８５８１号公報
【考案の概要】
【考案が解決しようとする課題】
【０００５】
特許文献１記載の「パチンコ機等の表示具」は、平板状の表示板を着脱可能に保持することができるが、平板状以外の形状の表示物を保持することができない。このため、パチンコ店内などにおいて、広告媒体として、パチンコ台の近傍に取り付けて使用されている小型の幟などのような棒状支柱を有する表示物は前記表示具で保持することはできない。
【０００６】
本考案が解決しようとする課題は、パチンコ台やゲーム機あるいはその他の各種機材の近傍において、平板状の表示物及び棒状支柱を有する表示物を保持することのできる表示具を提供することにある。
【課題を解決するための手段】
【０００７】
本考案の表示具は、取り付け対象物に固着可能な接合部と、前記接合部から延設された一対の挟持部と、前記挟持部を開閉可能に保持する磁石と、を備え、前記接合部若しくは前記挟持部の一部に棒材を保持可能な少なくとも一つの棒材保持部を設けたことを特徴とする。ここで、棒材とは、外径に比して長尺の部材を意味するものであり、竿材、柱材、ポール材及び管状材などを含んでいる。
【０００８】
パチンコ台やゲーム機などの近傍の取り付け対象物に接合部を固着することによって本考案に係る表示具を固定した後、接合部から延設された一対の挟持部の間に平板状の表示物を挟み込めば当該表示物を保持することができる。また、小型の幟を構成する幟竿などを棒材保持部にて保持することにより棒状支柱を有する表示物を一定姿勢に保持することができる。なお、取り付け対象物に対する接合部の固着手段としては、両面粘着シート、ネジ、接着剤などを使用することができる。
【０００９】
また、前記棒材保持部を上下方向に離れた複数箇所に設ければ、棒状支柱を有する表示物の保持高さにバリエーションを持たせることができる。
【００１０】
この場合、上方に位置する前記棒材保持部における棒材の保持角度と、下方に位置する前記棒材保持部における棒材の保持角度とが、互いに異なるようにすることもできる。このような構成とすれば、棒材の保持角度（棒状支柱を有する表示物の保持姿勢）にバリエーションを持たせることができる。
【００１１】
また、前記棒材保持部の少なくとも一つが棒材を鉛直状態に保持可能であることが望ましい。このような構成とすれば、幟などの棒状支柱を有する表示物を鉛直姿勢に保持することが可能となるので、棒状支柱を有する表示物の保持姿勢にバリエーションを持たせることができるだけでなく、パチンコ台やゲーム機あるいはその他の各種機材などの取り付け対象物の近傍における鉛直方向のスペースを有効活用することができる。
【００１２】
さらに、一対の前記挟持部の周縁に、互いに離反する方向に湾曲した少なくとも一対の舌片部を設けることが望ましい。このような構成とすれば、平板状の表示物を前記挟持部の間に挟み込む際に、前記舌片部が前記表示物を前記挟持部の隙間に導入するガイド機能を発揮するので、表示物の挟み込み作業性が向上する。
【考案の効果】
【００１３】
本考案により、パチンコ台やゲーム機あるいはその他の各種機材の近傍において、平板状の表示物及び棒状支柱を有する表示物を着脱可能に保持することのできる表示具を提供することができる。
【図面の簡単な説明】
【００１４】
【図１】本考案の実施形態である表示具を左側から見た斜視図である。
【図２】図１に示す表示具を右側から見た斜視図である。
【図３】図１に示す表示具の正面図である。
【図４】図１に示す表示具の背面図である。
【図５】図１に示す表示具の一部省略平面図である。
【図６】図１に示す表示具の使用状態を示す側面図である。
【考案を実施するための形態】
【００１５】
以下、図面に基づいて本考案の実施形態について説明する。図１〜図５に示すように、本実施形態の表示具１０は、取り付け対象物に固着可能な接合部１１と、接合部１１から延設された一対の挟持部１２ａ，１２ｂと、挟持部１２ａ，１２ｂを開閉可能に保持するため挟持部１２ａ，１２ｂにそれぞれ配置された複数の磁石１３ａ，１３ｂと、を備え、挟持部１２ａ，１２ｂの側部に、棒状支柱を有する表示物の一つである小型の幟２４の幟竿２４ａ（図６参照）を保持可能な複数の棒材保持部１４ａ，１４ｂ，１５ａ，１５ｂが設けられ、同じ機能を有する棒材保持部１６ａ，１６ｂが接合部１１の上部に設けられている。複数の磁石１３ａ，１３ｂは異なる磁極同士を対向させることにより、互いに吸着し合った状態で配置されている。
【００１６】
棒材保持部１４ａ，１４ｂ，１５ａ，１５ｂ，１６ａ，１６ｂはいずれも筒形状であり、後述する図６に示すように、小型の幟２４を構成する幟竿２４ａなどの棒状支柱の下端部を着脱可能に挿入することによって、幟２４を一定姿勢に保持することができる。
【００１７】
接合部１１は、平板状の挟持部１２ａ，１２ｂの基端側にそれぞれ形成された直線状のＵ字溝部１１ａ，１１ｂを対向姿勢で密着させることによって形成され、接合部１１の背面１１ｃは平面形状をなしている。接合部１１の背面１１ｃと取り付け対象物との間に両面粘着シートを介在させることによって表示具１０を取り付け対象物に固定することができる。
【００１８】
一方、Ｕ字溝部１１ａ，１１ｂの正面側には貫通孔１９ａ，１９ｂが開設され、背面１１ｃにおいて貫通孔１９ａ，１９ｂと略同軸をなす位置にネジ孔２０ａ，２０ｂが開設されている。貫通孔１９ａ，１９ｂの最小内径はネジ孔２０ａ，２０ｂの内径より大きく設定されている。取り付け対象物に接合部１１の背面１１ｃを当接させ、貫通孔１９ａ，１９ｂ側からネジ孔２０ａ，２０ｂに向かってネジ（図示せず）を挿入し、取り付け対象物に螺着させることにより、表示具１０を取り付け対象物にネジ止めすることもできる。
【００１９】
棒材保持部１４ａ，１４ｂと、棒材保持部１５ａ，１５ｂと、は互いに上下方向に離れた複数箇所に設けられている。上方に位置する棒材保持部１４ａ，１４ｂの軸心は水平より４５度起立した角度をなし、下方に位置する棒材保持部１５ｂ，１５ｂの軸心は水平より６０度起立した角度をなしている。接合部１１に設けられた棒材保持部１６ａ，１６ｂの軸心は鉛直方向をなしている。また、棒材保持部１４ａ，１４ｂ、棒材保持部１５ａ，１５ｂ及び棒材保持部１６ａ，１６ｂはそれぞれ挟持部１２ａ，１２ｂを挟んで左右対称位置に設けられている。
【００２０】
一対の挟持部１２ａ，１２ｂの前縁には、互いに離反する方向に湾曲した二対の舌片部１７ａ，１７ｂ，１８ａ，１８ｂが設けられている。舌片部１７ａ，１７ｂは挟持部１２ａ，１２ｂの前縁の上方部に位置し、舌片部１８ａ，１８ｂは挟持部１２ａ，１２ｂの前縁の下方部に位置している。
【００２１】
次に、図６に基づいて、表示具１０の使い方について説明する。図６に示すように、パチンコ台やゲーム機などの近傍の取り付け対象物２１に両面粘着シート２２を介して接合部１１の背面１１ｃを固着することによって表示具１０を固定した後、接合部１１から延設された一対の挟持部１２ａ，１２ｂの間に平板状の表示物２３を挟み込めば、当該表示物２３は複数の磁石１３ａ，１３ｂの吸着力により起立姿勢で保持される。
【００２２】
また、小型の幟２４を構成する幟竿２４ａをそれぞれ棒材保持部１４ａ，１４ｂ，１５ａ，１５ｂ，１６ａ，１６ｂに挿入することにより幟２４全体をそれぞれ一定姿勢で保持することができる。即ち、幟２４の幟竿２４ａの下端部を棒材保持部１４ａ，１４ｂに挿入すれば幟竿２４ａが水平より４５度起立した姿勢で保持することができ、幟竿２４ａの下端部を棒材保持部１５ａ，１５ｂに挿入すれば幟竿２４ａが水平より６０度起立した姿勢で保つことができ、幟竿２４ａの下端部を棒材保持部１６ａ，１６ｂに挿入すれば幟竿２４ａが鉛直方向に起立した姿勢で保持することができる。
【００２３】
図６に示すように、パチンコ台やゲーム機などの近傍の取り付け対象物２１に接合部１１を固着することによって表示具１０を固定すれば、平板状の表示物２３あるいは小型の幟２４などの棒状支柱を有する表示物を着脱可能に保持することができる。棒材保持部１４ａ，１４ｂ，１５ａ，１５ｂ，１６ａ，１６ｂは上下方向に離れた複数箇所に設けられているため、幟２４の保持高さにバリエーションを持たせることができる。
【００２４】
また、上方に位置する棒材保持部１４ａ，１４ｂの軸心の傾斜角度と、下方に位置する棒材保持部１５ａ，１５ｂの軸心の傾斜角度と、が互いに異なっているため、幟竿２４ａの保持角度（幟２４の保持姿勢）にもバリエーションを持たせることができる。
【００２５】
さらに、棒材保持部１６ａ，１６ｂの軸心は鉛直方向をなしていることにより、幟２４を鉛直姿勢に保持することが可能であるため、幟２４の保持姿勢にバリエーションを持たせることができるだけでなく、パチンコ台やゲーム機などの取り付け対象物２１の近傍における鉛直方向のスペースを有効活用することができる。なお、棒材保持部の位置、個数、角度などは棒材保持部１４ａ，１４ｂ，１５ａ，１５ｂ，１６ａ，１６ｂに限定しないので、使用条件などに応じて、その他の構成とすることができる。
【００２６】
一方、一対の挟持部１２ａ，１２ｂの周縁に、互いに離反する方向に湾曲した少なくとも二対の舌片部１７ａ，１７ｂ，１８ａ，１８ｂを設けたことにより、平板状の表示物２３を挟持部１２ａ，１２ｂの間に挟み込む際に、舌片部１７ａ，１７ｂ，１８ａ，１８ｂが表示物２３を挟持部１２ａ，１２ｂの隙間に導入するガイド機能を発揮するので、表示物２３の挟み込み作業性も良好である。
【００２７】
なお、本実施形態においては、パチンコ台やゲーム機などの取り付け対象物２１の情報表示手段として表示具１０を使用した場合について説明しているが、これは一例であり、用途や使い方などはこれに限定されないので、本考案の表示具はその他の各種機材に関する情報表示手段として広く使用することができる。
【産業上の利用可能性】
【００２８】
本考案の表示具は、パチンコ店やゲームセンターなどに配備されているパチンコ台やゲーム機の稼動状態あるいはその他の各種機材に関する情報を表示したり、広告媒体を保持したりする器具として、広く利用することができる。
【符号の説明】
【００２９】
１０  表示具
１１  接合部
１１ａ，１１ｂ  Ｕ字溝部
１１ｃ  背面
１２ａ，１２ｂ  挟持部
１３ａ，１３ｂ  磁石
１４ａ，１４ｂ，１５ａ，１５ｂ，１６ａ，１６ｂ  棒材保持部
１７ａ，１７ｂ，１８ａ，１８ｂ  舌片部
１９ａ，１９ｂ  貫通孔
２０ａ，２０ｂ  ネジ孔
２１  取り付け対象物
２２  両面粘着シート
２３  表示物
２４  幟
２４ａ  幟竿
【図１】
0003168068.tif 000003
【図２】
0003168068.tif 000004
【図３】
0003168068.tif 000005
【図４】
0003168068.tif 000006
【図５】
0003168068.tif 000007
【図６】
0003168068.tif 000008
【手続補正書】
【提出日】平成23年3月22日(2011.3.22)
【手続補正１】
【補正対象書類名】実用新案登録請求の範囲
【補正対象項目名】全文
【補正方法】変更
【補正の内容】
【実用新案登録請求の範囲】
【請求項１】
両面粘着シート、ネジ若しくは接着剤を用いて取り付け対象物に固着可能な接合部と、前記接合部から延設された一対の挟持部と、前記挟持部を開閉可能に保持するため前記挟持部にそれぞれ配置され、且つ異なる磁極同士を対向させて互いに吸着し合った状態で配置された複数の磁石と、を備え、前記接合部若しくは前記挟持部の一部に棒材の下端部を挿入した状態で保持可能な少なくとも一つの筒形状の棒材保持部を設けたことを特徴とする表示具。
【請求項２】
前記棒材保持部を上下方向に離れた複数箇所に設けた請求項１記載の表示具。
【請求項３】
上方に位置する前記棒材保持部における棒材の保持角度と、下方に位置する前記棒材保持部における棒材の保持角度と、が互いに異なる請求項２記載の表示具。
【請求項４】
前記棒材保持部の少なくとも一つが棒材を鉛直状態に保持可能である請求項１〜３のいずれかに記載の表示具。
【請求項５】
一対の前記挟持部の周縁に、互いに離反する方向に湾曲した少なくとも一対の舌片部を設けた請求項１〜４のいずれかに記載の表示具。
【手続補正２】
【補正対象書類名】明細書
【補正対象項目名】０００７
【補正方法】変更
【補正の内容】
【０００７】
本考案の表示具は、両面粘着シート、ネジ若しくは接着剤を用いて取り付け対象物に固着可能な接合部と、前記接合部から延設された一対の挟持部と、前記挟持部を開閉可能に保持するため前記挟持部にそれぞれ配置され、且つ異なる磁極同士を対向させて互いに吸着し合った状態で配置された複数の磁石と、を備え、前記接合部若しくは前記挟持部の一部に棒材の下端部を挿入した状態で保持可能な少なくとも一つの筒形状の棒材保持部を設けたことを特徴とする。ここで、棒材とは、外径に比して長尺の部材を意味するものであり、竿材、柱材、ポール材及び管状材などを含んでいる。